(57)【特許請求の範囲】
【請求項１】
車両から独立してユーザが所有する通信端末と近距離通信手段によって近距離無線通信することにより、前記通信端末を介して外部と通信する車両通信装置であって、
車両の走行に伴って取得される車両情報を順次更新可能に記憶する車両情報記憶手段と、
前記車両情報記憶手段によって順次更新可能に記憶される前記車両情報ごとに、更新順序を識別するための識別情報であって、前記車両が走行を開始する状態から走行を終了する状態を経るごとに増加するカウント値を付与する識別情報付与手段と、
前記ユーザによって操作されて、前記通信端末を前記近距離通信手段と近距離通信可能な状態に登録するか、又は、前記登録された状態にある前記通信端末の登録を抹消するかを選択する選択操作手段と、
前記ユーザによって前記選択操作手段が操作されて、前記通信端末を前記近距離通信手段と近距離通信可能な状態に登録することが選択されているときに、前記車両情報記憶手段によって順次更新可能に記憶された前記車両情報及び前記識別情報付与手段によって前記車両情報に付与された前記カウント値を前記登録された状態にある前記通信端末に対して転送する情報転送手段とを備えており、
前記通信端末と近距離無線通信するための他の近距離通信手段が前記通信端末と近距離通信可能な状態で存在するとき、前記車両と前記通信端末とが近距離無線通信するための前記近距離通信手段は、前記車両情報記憶手段によって前記車両情報が記憶され、かつ、前記識別情報付与手段によって前記カウント値が前記記憶された車両情報に付与された後に所定の時間が経過してから前記車両と前記通信端末との近距離無線通信を確立し、
前記ユーザによって前記選択操作手段が操作されて前記登録された状態にある前記通信端末の登録を抹消することが選択されたとき、又は、前記通信端末が前記近距離通信手段と近距離通信可能な状態に未だ登録されていない未登録状態であるとき、
前記情報転送手段は前記車両情報記憶手段によって記憶された前記車両情報の転送を禁止し、前記識別情報付与手段が前記カウント値の変更を禁止することを特徴とする車両通信装置。
【請求項２】
請求項１に記載した車両通信装置において、
前記ユーザによって前記選択操作手段が操作されて前記登録された状態にある通信端末の登録を抹消することが選択されたとき、
前記車両情報記憶手段は順次更新可能に記憶している前記車両情報を破棄し、
前記識別情報付与手段は前記通信端末の登録が抹消された時点で付与していた前記カウント値の変更を禁止して維持することを特徴とする車両通信装置。
【請求項３】
請求項１または請求項２に記載した車両通信装置において、
前記通信端末が、前記情報転送手段によって転送された前記車両情報のうち、外部との通信によって外部への送信が完了した車両情報を特定する情報を記憶しておき、
前記情報転送手段が、次回以降に前記車両情報記憶手段によって記憶された前記車両情報を転送するときに、前記識別情報付与手段によって付与された前記カウント値と前記通信端末によって記憶されている前記外部への送信が完了した車両情報を特定する情報とに基づいて、前記外部への送信が完了した車両情報の次以降に前記車両情報記憶手段に記憶された車両情報から前記通信端末に対して転送することを特徴とする車両通信装置。
【請求項４】
請求項３に記載した車両通信装置において、
前記車両情報記憶手段は、
前記識別情報付与手段によって付与された前記カウント値と前記通信端末によって記憶されている前記外部への送信が完了した車両情報を特定する情報とに基づいて、前記外部への送信が完了した車両情報以前に記憶した車両情報を消去することを特徴とする車両通信装置。
【請求項５】
請求項１ないし請求項４のうちのいずれか一つに記載した車両通信装置において、更に、
前記車両情報記憶手段によって記憶されている車両情報を暗号化状態に暗号化する暗号化処理手段を備え、
前記情報転送手段は、
前記暗号化処理手段によって暗号化状態に暗号化された車両情報を前記通信端末に対して転送することを特徴とする車両通信装置。
【発明の詳細な説明】
【技術分野】
【０００１】
本発明は、車両から独立した通信端末を利用して車両と外部との通信を可能とする車両通信装置に関する。
【背景技術】
【０００２】
従来から、例えば、下記特許文献１に示されているような車両環境サービスシステムは知られている。この従来の車両環境サービスシステムにおいては、車載情報端末と、センターに配設されるセンターサーバと、ユーザに対して各種サービスを提供する提携サービス事業者によって管理される事業者端末とを有している。そして、車載情報端末又はセンターサーバは、ユーザ毎に、所定基準に基づいて、安全運転及び／又は環境運転を行っているか否かを判定し、判定結果に応じて付与するポイント数を算出するポイント算出手段を有し、センターサーバは、ユーザ毎に、付与されたポイント数を累計して総ポイント数を管理するデータベースを有し、事業者端末は、管理された所定のポイント数と引き換えに所定のサービスを提供するサービス提供手段と、提携サービス事業者に関する広告配信手段とを備えている。
【０００３】
又、従来から、例えば、下記特許文献２に示されているような車両情報収集システム及び方法も知られている。この従来の車両情報収集システム及び方法においては、車両に搭載されている車載端末が車両情報の収集仕様を決定する車両情報仕様決定機能を有しておき、情報センタが車両情報使用決定機能によって決定された車両情報仕様に基づきサービス料金を決定するようになっている。これにより、運転手の意向により走行履歴を他者に見せるか見せないかを選択することができ、プライバシー問題に敏感な運転手にもシステムを利用しやすいようにすることができる。又、走行履歴を隠蔽された場合でもサービスの実現に対する損失を補填することが可能となる。
【先行技術文献】
【特許文献】
【０００４】
【特許文献１】特開２００７−２９３６２６号公報
【特許文献２】特開２００４−１１８３７０号公報
【発明の概要】
【０００５】
上記従来の車両環境サービスシステムにおいては、車載情報端末が情報管理部を備えており、この情報管理部が入力されたＩＤ照合等に基づいて、現在の運転者（ユーザ）を識別するようになっている。又、上記従来の車両情報収集システム及び方法においては、車載端末に設けられた車両情報仕様決定機能を利用して運転手（ユーザ）の操作により運転手の意思に委ねられて車両情報が選択されて送信されるようになっている。
【０００６】
ところで、車両によっては、ユーザからの入力操作を受け付けるためのインターフェース（例えば、タッチパネル機能付き表示ディスプレイやキーボード、テンキー、車内カメラ、生体情報照合装置等）を備えていない場合が存在する。そして、このような車両においては、ユーザによって入力されるべき事項、すなわち、ユーザ（運転者）を識別するための情報や外部のセンタに送信すべき情報の選択等の設定操作が不能であり、その結果、ユーザの意図しない情報やユーザが関与していない情報等が収集されて外部のセンタに送信されてしまうおそれがある。
【０００７】
本発明は、上記した問題に対処するためになされたものであり、その目的の一つは、ユーザが意図する情報やユーザが関与している情報を確実に外部に送信する車両通信装置を提供することにある。
【０００８】
上記目的を達成するための本発明による車両通信装置は、車両から独立してユーザが所有する通信端末と近距離通信手段によって近距離通信することにより、前記通信端末を介して外部と通信するものである。そして、本発明による車両通信装置の特徴は、車両情報記憶手段、識別情報付与手段、選択操作手段、情報転送手段とを備えることにある。
【０００９】
前記車両情報記憶手段は、車両の走行に伴って取得される車両情報を順次更新可能に記憶する。前記識別情報付与手段は、前記車両情報記憶手段によって順次更新可能に記憶される前記車両情報ごとに、更新順序を識別するための識別情報を付与する。前記選択操作手段は、前記ユーザによって操作されて、前記通信端末を前記近距離通信手段と近距離通信可能な状態に登録するか、又は、前記登録された状態にある前記通信端末の登録を抹消するかを選択する。情報転送手段は、前記ユーザによって前記選択操作手段が操作されて、前記通信端末を前記近距離通信手段と近距離通信可能な状態に登録することが選択されているときに、前記車両情報記憶手段によって順次更新可能に記憶された前記車両情報及び前記識別情報付与手段によって前記車両情報に付与された前記識別情報を前記登録された状態にある前記通信端末に対して転送する。
【００１０】
そして、本発明による車両通信装置においては、前記ユーザによって前記選択操作手段が操作されて前記登録された状態にある前記通信端末の登録を抹消することが選択されたとき、又は、前記通信端末が前記近距離通信手段と近距離通信可能な状態に未だ登録されていない未登録状態であるとき、前記情報転送手段は前記車両情報記憶手段によって記憶された前記車両情報の転送を禁止する。尚、このとき、前記識別情報付与手段が前記識別情報の変更を禁止するようにすることも可能である。
【００１１】
これによれば、ユーザが選択操作手段を操作することにより、ユーザの所有する通信端末が近距離通信手段と近距離通信可能な状態に登録されている（すなわち、近距離通信手段の接続先として登録されている）ときに、車両情報記憶手段が順次更新可能に記憶している車両情報及び識別情報付与手段がこの車両情報の更新順序を識別するために付与する識別情報を登録された通信端末に転送することができる。すなわち、ユーザの意思に基づき、ユーザの所有する通信端末が近距離通信手段の接続先として登録されているときに限り、車両情報及び識別情報を通信端末に転送することができる。そして、車両情報及び識別情報の転送された通信端末においては、自身の通信機能を発揮して、外部に向けて車両情報及び識別情報を転送（送信）することができる。
【００１２】
従って、例えば、車両工場から出庫された車両がユーザに納車されるまでの間の走行に伴い記憶された（蓄積された）車両情報は、ユーザの所有する通信端末が登録されていない（未登録状態である）ために外部に向けて転送（送信）されることがない。すなわち、ユーザに納車されるまでの間に記憶された（蓄積された）車両情報は、原則、ユーザが意図した情報やユーザが関与した情報ではないため、これらの情報がユーザの許可なく転送（送信）されることがない。
【００１３】
一方、車両が納車された後に、ユーザが自らの意思によって選択操作手段を操作して通信端末を登録することにより、ユーザが車両を走行させることで記憶された（蓄積された）車両情報及び識別情報を外部に転送（送信）することができる。又、逆に、ユーザが自らの意思によって選択操作手段を操作して通信端末の登録を抹消することにより、ユーザが車両を走行させることで記憶された（蓄積された）車両情報及び識別情報の外部への転送（送信）を禁止することができる。すなわち、この場合には、ユーザの意図する情報やユーザの関与した情報を、ユーザの意図する選択操作手段の操作に基づいて、言い換えれば、ユーザが適宜選択して外部に送信することができる。
【００１４】
尚、ユーザによる選択操作手段の操作に関しては、例えば、選択操作手段が押下操作可能なスイッチであれば、ユーザが選択操作手段を所定時間よりも長く押し操作（長押し操作）した場合に登録された状態にある通信端末の登録を抹消するようにしたり、ユーザが選択操作手段を所定時間よりも短く押し操作（中押し操作）した場合に通信端末を登録するようにしたりすることが可能である。これにより、ユーザは、極めて容易に、自身が所有する通信端末を登録したり登録を抹消したりすることができる。
【００１５】
又、この場合、前記ユーザによって前記選択操作手段が操作されて前記登録された状態にある通信端末の登録を抹消することが選択されたとき、前記車両情報記憶手段は順次更新可能に記憶している前記車両情報を破棄し、前記識別情報付与手段は前記通信端末の登録が抹消された時点で付与していた前記識別情報の変更を禁止して維持することができる。
【００１６】
そして、これらの場合、前記識別情報付与手段が付与する前記識別情報は、例えば、前記車両情報記憶手段によって順次更新可能に記憶される前記車両情報の更新順序を識別するためのカウント値であるとよく、前記カウント値は、少なくとも、前記車両が走行を開始する状態から走行を終了する状態を経るごとに増加するものであるとよい。
【００１７】
これらによれば、例えば、車両のオーナーが代わる状況や、ユーザの所有する通信端末が変更される状況等、これまで登録されていた通信端末の登録が抹消される状況では、記憶されている車両情報は破棄されるものの識別情報（例えば、カウント値）は変更されることなくそのまま維持される。これにより、ユーザによる選択操作手段の操作に応じて新たに通信端末が登録されて車両情報及び識別情報（例えば、増加方向に変更されたカウント値）が外部に送信される場合においても、外部に転送（送信）される識別情報の連続性が確保されているため、車両のユーザやユーザの所有する通信端末が代わっても、例えば、連続性を有する識別情報が付与されている新車時の車両情報と現在の車両情報とを容易に比較することができる。
【００１８】
又、識別情報としてカウント値を採用し、このカウント値を、車両が走行を開始する状態から走行を終了する状態を経るごとに増加させる、より具体的には、例えば、車両のイグニッションスイッチがイグニッションオンからイグニッションオフに操作されるまで（或いは、アクセサリオンからアクセサリオフに操作されるまで）を経るごとに増加させることができる。これにより、識別情報としてカウント値が付与される車両情報も、車両が走行を開始する状態から走行を終了する状態を経るまでに記憶された車両情報とすることができ、比較的長時間に渡る情報として収集して記憶することができる。従って、記憶される車両情報の精度を向上させることができる。
【００１９】
又、本発明による車両通信装置の他の特徴は、前記通信端末が、前記情報転送手段によって転送された前記車両情報のうち、外部との通信によって外部への送信が完了した車両情報を特定する情報を記憶しておき、前記情報転送手段が、次回以降に前記車両情報記憶手段によって記憶された前記車両情報を転送するときに、前記識別情報付与手段によって付与された前記識別情報と前記通信端末によって記憶されている前記外部への送信が完了した車両情報を特定する情報とに基づいて、前記外部への送信が完了した車両情報の次以降に前記車両情報記憶手段に記憶された車両情報から前記通信端末に対して転送することにもある。
【００２０】
この場合、前記車両情報記憶手段は、例えば、前記識別情報付与手段によって付与された前記識別情報と前記通信端末によって記憶されている前記外部への送信が完了した車両情報を特定する情報とに基づいて、前記外部への送信が完了した車両情報以前に記憶した車両情報を消去することができる。
【００２１】
これによれば、通信端末が転送された車両情報を外部に送信した後に（あるいは、通信端末に車両情報が転送された後に）、送信（あるいは転送）が成功した車両情報を消去することができる。これにより、車両側に設けられるメモリの容量を低減させることが可能となり、その結果、製造コストを低減することができる。
【００２２】
又、本発明による車両通信装置の他の特徴は、前記近距離通信手段が、前記通信端末と近距離無線通信することにもある。この場合、前記車両と近距離無線通信するための他の近距離通信手段が存在するとき、前記車両と前記通信端末とが近距離無線通信するための前記近距離通信手段は、前記車両情報記憶手段によって前記車両情報が記憶されるとともに前記識別情報付与手段によって前記識別情報が付与された後に所定の時間が経過してから前記車両と前記通信端末との近距離無線通信を確立することができる。
【００２３】
これによれば、所定の時間が経過した後に、車両と通信端末との間で、近距離無線通信を確立させることができる。これにより、例えば、ハンズフリー通話機能やエンタテイメント操作機能を実現するためのアプリケーション等が優先的に近距離無線通信を利用する状況を確実に終了させてから、車両情報及び識別情報を通信端末に確実に転送することができる。
【００２４】
更に、本発明による車両通信装置の他の特徴は、前記車両情報記憶手段によって記憶されている車両情報を暗号化状態に暗号化する暗号化処理手段を備え、前記情報転送手段は、前記暗号化処理手段によって暗号化状態に暗号化された車両情報を前記通信端末に対して転送することにもある。
【００２５】
これによれば、例えば、通信端末に不正なアプリケーションがインストールされていて、仮に、外部によって利用される車両情報が他の外部に送信されることになっても不正に送信された車両情報が解読されることを効果的に防止することができる。すなわち、秘匿性が高く特定の外部によってのみ利用される車両情報を適切に保護して通信することができる。
【図面の簡単な説明】
【００２６】
【図１】本発明の実施形態に係る車両通信装置を備えた車両の情報通信システムの概略図である。
【図２】図１の情報転送ＥＣＵによって実行される車両情報転送プログラムをフローチャートである。
【発明を実施するための形態】
【００２７】
以下、本発明の実施形態に係る車両通信装置について図面を用いて説明する。図１は、本実施形態に係る車両通信装置を有する車両の情報通信システムを概略的に示した概略ブロック図である。
【００２８】
まず、車両の情報通信システムについて説明する。車両の情報通信システムは、車両１００と、車両情報センタ２００と、車両１００から独立した通信端末として車両１００のユーザが所有する携帯端末装置３００とを通信事業者が提供する外部通信回線網４００（例えば、インターネット網や専用回線網等）を介して有機的に結び付けて、ユーザに対して各種の情報やサービスを提供できるようにしたものである。なお、以下の説明においては、本実施形態における情報通信システムに適用される車両１００として、バッテリの電力で走行用モータを駆動する電気自動車、或いは、走行用モータと内燃機関とを備えバッテリを充電器により充電可能なプラグイン式ハイブリッド車等が採用されるものとする。しかし、情報通信システムに適用される車両１００として、走行用モータを備えずに内燃機関により走行する従来からの車両を適用可能であることは言うまでもなく、駆動形式を問うものではない。
【００２９】
車両１００には、例えば、走行状態等を制御する複数の電子制御装置１１０（以下、車両ＥＣＵ１１０と称呼する。）が設けられている。各車両ＥＣＵ１１０は、ＣＡＮ(Controller Area Network)通信システムのＣＡＮ通信ライン１２０に接続され、このＣＡＮ通信ライン１２０を経由して各種の信号を互いに入出力できるようになっている。そして、各車両ＥＣＵ１１０は、ＣＰＵ、ＲＯＭ、ＲＡＭ等からなるマイクロコンピュータを主要構成部品とするものであり、不揮発性メモリ、入出力インターフェース及びセンサ信号を入力して各種のアクチュエータを駆動する駆動回路等を備えている。
【００３０】
ここで、ＣＡＮ通信ライン１２０に接続される複数の車両ＥＣＵ１１０のうちの１つとして、後述するように車両１００に関する各種の車両情報を収集して取得するとともに携帯端末装置３００を利用して取得した各種の情報を車両情報センタ２００に転送する情報転送ＥＣＵ１１０ａが設けられる。そして、情報転送ＥＣＵ１１０ａの入出力インターフェースには、車両１００のユーザ（運転者）によって操作されて、携帯情報端末３００の登録又は抹消を設定するための選択操作手段としての登録抹消操作スイッチ１３０が接続されている。更に、情報転送ＥＣＵ１１０ａの駆動回路には、携帯情報端末３００が登録されていることを報知するインジケータ１４０が接続されている。
【００３１】
又、ＣＡＮ通信ライン１２０には、携帯情報端末３００との近距離通信を実現する近距離通信手段としての近距離通信制御装置１５０が接続されている。ここで、本実施形態においては、この近距離通信制御装置１５０の通信方式として、後述するように、Bluetooth（登録商標）を採用して実施するが、その他の通信方式として、例えば、Wi-Fi（登録商標）やクレードルを利用する有線通信等の他の近距離通信方式を採用して実施可能であることは言うまでもない。
【００３２】
車両情報センタ２００は、車両１００から各種の車両情報を取得するとともに、車両１００のユーザに対して種々のサービス情報を提供する施設である。車両情報センタ２００には、マイクロコンピュータを主要構成部品とするサーバ２１０が設けられる。サーバ２１０は、外部通信回線網４００と接続して通信を制御する通信制御部２１１と、車両情報を管理する車両情報サーバ２１２と、車両のユーザ情報を管理するユーザ情報サーバ２１３と、車両情報のデータベースを記憶する車両情報記憶部２１４と、ユーザ情報のデータベースを記憶するユーザ情報記憶部２１５とを備えている。サーバ２１０は、車両１００を特定するＩＤ（登録番号や車台番号に相当する情報）とユーザを特定するＩＤ（ユーザ名、携帯情報端末３００の電話番号、メールアドレス等）とを関連させる関連情報を記憶しており、何れか一方のＩＤを特定することで、他方のＩＤで特定される情報を抽出することができるように構成されている。
【００３３】
ユーザが所有する携帯情報端末３００は、外部通信回線網４００に接続するための通信インターフェースである外部通信制御部３０１と、Bluetooth（登録商標）を用いた近距離通信（より詳しくは、近距離無線通信）を実現するための通信インターフェースである近距離通信制御部３０２と、ＧＰＳ衛星からの電波に基づいて携帯情報端末３００の現在位置座標を検出するＧＰＳユニット３０３と、表示器と操作器とを兼用したタッチパネル式液晶ディスプレイ３０４と、マイクロコンピュータを主要構成部品として通信制御及び各種のアプリケーションを実行する主制御部３０５と、アプリケーションプログラム等の各種のデータを記憶する不揮発性メモリ３０６とを備えている。ここで、携帯情報端末３００としては、例えば、スマートフォン等の携帯電話を採用することができる。
【００３４】
次に、上記のように構成される車両の情報通信システムに適用される車両通信装置を説明する。本実施形態における車両通信装置は、車両１００と携帯情報端末３００とが近距離無線通信し、携帯情報端末３００と車両情報センタ２００とが外部通信回線網４００を介して通信することにより実現されるものである。具体的には、車両１００側である情報転送ＥＣＵ１１０ａは、車両１００に設けられた複数の車両ＥＣＵ１１０から出力される各種の車両情報を取得し、この取得された各種の車両情報を不揮発性メモリの所定記憶位置に順次検索可能に記憶する。そして、情報転送ＥＣＵ１１０ａは、記憶した各種の車両情報を携帯情報端末３００が登録されている場合に限り、近距離通信制御装置１５０を介して携帯情報端末３００に転送する。
【００３５】
ここで、本実施形態における携帯情報端末３００の登録について説明しておく。本実施形態においては、上述したように、車両１００に設けられた近距離通信制御装置１５０と携帯情報端末３００とがBluetooth（登録商標）を利用して近距離無線通信可能に接続される。このように、Bluetooth（登録商標）を利用して通信する場合には、近距離通信制御装置１５０と携帯情報端末３００との間でペアリング処理を実施することにより、近距離通信制御装置１５０に接続先の相手として携帯情報端末３００を登録することができる。尚、Bluetooth（登録商標）を利用して通信するためのペアリング処理自体については、本発明の直接関係しないため、以下に簡単に説明しておく。
【００３６】
Bluetooth（登録商標）を使用するときには、接続先の相手を特定（登録）するためのペアリング処理が必要となる。例示的に、一般的な手順に従って、近距離通信制御装置１５０と携帯情報端末３００とをペアリング処理する場合、言い換えれば、携帯情報端末３００を近距離通信制御装置１５０の接続先として登録処理する場合を想定すると、車両１００のユーザ（運転者）は、登録抹消操作スイッチ１３０に対して予め設定された所定の操作（例えば、１．５〜１０秒程度の中押し操作）をする。これにより、情報転送ＥＣＵ１１０ａは、周囲に存在している携帯情報端末３００から探索可能となるように、近距離通信制御装置１５０を探索可能状態に設定する。一方、車両１００のユーザは、登録抹消操作スイッチ１３０に対する所定の操作後、携帯情報端末３００において、主制御部３０５を介して近距離通信制御装置１５０を探索するように近距離通信制御部３０２を探索状態に設定する。このようにすることにより、携帯情報端末３００は、近距離通信制御装置１５０を含む周囲の近距離通信機器を探索し、探索結果の一覧をタッチパネル式ディスプレイ３０４に表示する。尚、近距離通信機器にはそれぞれ固有の機器アドレスが割り当てられており、探索結果の一覧には、探索された機器の機器アドレス又は任意に決められた機器名称が表示される。
【００３７】
次に、ユーザによって探索結果の一覧から所望の接続相手、すなわち、近距離通信制御装置１５０が選択されると、携帯情報端末３００と近距離通信制御装置１５０との間で、リンクキーの生成が行われ、このリンクキーと相手の機器アドレスを双方で記憶することにより、ペアリング処理が完了する。一方、近距離通信機器の仕様によっては、ユーザが選択した際にパスキー（ＰＩＮコード）の入力が必要な場合もあり、正しいパスキーを入力することによって、上記リンクキーの生成が行われる。尚、以下の説明においては、近距離通信制御装置１５０が記憶する携帯情報端末３００の機器アドレスとリンクキーとを「携帯情報」と称呼する。
【００３８】
このように、車両１００（より詳しくは、近距離通信制御装置１５０）と携帯情報端末３００との間でお互いの機器アドレスとリンクキーを共有する、すなわち、近距離通信制御装置１５０が携帯情報を記憶することによって、Bluetooth（登録商標）通信を利用するためのペアリング処理が完了した状態であれば、ユーザ（運転者）が携帯情報端末３００を所持して車両１００に乗車し、図示を省略するイグニッションスイッチを操作すると、自動的に接続が確立される。或いは、ユーザ（運転者）が携帯情報端末３００を所持して車両１００に乗車し、登録抹消操作スイッチ１３０に対して予め設定された所定の操作（例えば、１．５秒以下程度の短押し操作）をすると、接続が確立される。尚、このように近距離通信制御装置１５０と携帯情報端末３００との間で接続（ペアリング）が確立されると、例えば、メータクラスタ内に設けられたインジケータ１４０が点灯し、ユーザ（運転者）に対して接続が確立していることを報知するようになっている。
【００３９】
一方で、後述するように、車両１００のユーザ（運転者）が登録抹消操作スイッチ１３０に対して予め設定された所定の操作（例えば、１０秒以上程度の長押し操作）をした場合には、情報転送ＥＣＵ１１０ａは、近距離通信制御装置１５０に対して現在記憶している携帯情報を消去（削除）させる。すなわち、情報転送ＥＣＵ１１０ａは、現在記憶している携帯情報を消去（削除）させることにより、近距離通信制御装置１５０と携帯情報端末３００との間のペアリングを解消させる、言い換えれば、近距離通信制御装置１５０に接続先として登録されている携帯情報端末３００を抹消させる。
【００４０】
そして、上記のように車両１００側の近距離通信制御装置１５０に接続先として登録されている限り、携帯情報端末３００においては、主制御部３０５が車両１００側の情報転送ＥＣＵ１１０ａから転送された各種の車両情報を取得して不揮発性メモリ３０６に一時的に記憶する。そして、携帯情報端末３００の主制御部３０５は、一時的に不揮発性メモリ３０６に記憶した各種の車両情報を、外部通信制御部３０１を介して、外部通信回線網４００を利用した通信が可能であるときに車両情報センタ２００に送信する。
【００４１】
このような車両通信装置を実現するために、車両１００の情報転送ＥＣＵ１１０ａは、運転者によって図示を省略するイグニッションスイッチがイグニッションオン（或いは、イグニッションスイッチがアクセサリオン）の操作位置に操作されると、図２に示す車両情報転送プログラムの実行をステップＳ１０にて開始する。
【００４２】
そして、車両情報転送プログラムの実行を開始すると、情報転送ＥＣＵ１１０ａは、ステップＳ１１にて、後に詳述するように、現在、識別情報としてのカウント値であるトリップＮｏ．を増加させる（カウントアップさせる）カウント値増加モードに設定しているか否かを判定する。尚、以下の説明における「トリップ」とは、一回の運転期間を表すものであり、例えば、イグニッションスイッチの操作位置がイグニッションオン（或いはアクセサリオン）の操作位置からイグニッションオフ（或いはアクセサリオフ）の操作位置に操作されるまでの進行を表すものとする。このため、「トリップＮｏ．」とは、カウント値増加モードであるときに「トリップ」ごとに連番として付与される番号（カウント値）を表すものである。
【００４３】
具体的にステップＳ１１の判定処理内容を説明すると、情報転送ＥＣＵ１１０ａは、後述するように、現在、近距離通信制御装置１５０が携帯情報を記憶していて携帯情報端末３００が登録されており、カウント値増加モードに設定していれば、「Ｙｅｓ」と判定してステップＳ１２に進む。一方、後述するように、現在、近距離通信制御装置１５０が携帯情報を記憶してなく（消去していて）携帯情報端末３００が登録されておらず、カウント値であるトリップＮｏ．の増加及び減少を禁止する（カウント値を維持する）カウント値増加不可モードに設定していれば、「Ｎｏ」と判定してステップＳ２０に進み、車両情報転送プログラムの実行を終了する。
【００４４】
ステップＳ１２においては、情報転送ＥＣＵ１１０ａは、前記ステップＳ１１の判定処理に従い、カウント値として連番として付与されるトリップＮｏ．を、例えば、「１」だけ増加（カウントアップ）させる。そして、情報転送ＥＣＵ１１０ａは、トリップＮｏ．を「１」だけ増加させると、ステップＳ１３に進む。
【００４５】
ステップＳ１３においては、情報転送ＥＣＵ１１０ａは、蓄積系車両情報を取得又は演算して蓄積する。すなわち、情報転送ＥＣＵ１１０ａは、車両情報センタ２００に転送する車両情報、具体的には、トリップ毎の運転情報（以下、この運転情報を「トリップ情報」と称呼する。）を取得又は演算して蓄積する。
【００４６】
具体的には、情報転送ＥＣＵ１１０ａは、例えば、対応する車両ＥＣＵ１１０から走行時間、総走行距離等を取得し、この取得した車両情報を用いて燃費電費情報、電気自動車としてのＥＶ走行距離やハイブリッド自動車としてのＨＶ走行距離等を算出し、トリップ情報として不揮発性メモリの所定記憶位置に蓄積して記憶する。尚、トリップ情報を記憶するときには、このトリップ情報を識別するために前記ステップＳ１２にて設定されたトリップＮｏ．が対応付けて記憶される。又、情報転送ＥＣＵ１１０ａは、対応する車両ＥＣＵ１１０から、例えば、車両１００に搭載されているバッテリの充電状態（ＳＯＣ）、劣化状態、最大電圧等を表すバッテリ情報や、ダイアグ情報（故障情報）等を取得し、この取得したバッテリ情報やダイアグ情報等も不揮発性メモリの所定記憶位置に蓄積して記憶する。尚、バッテリ情報や、ダイアグ情報を記憶するときにも、これらの情報を識別するために前記ステップＳ１２にて設定されたトリップＮｏ．が対応付けて記憶される。そして、蓄積系車両情報としてトリップ情報、バッテリ情報、ダイアグ情報及びトリップＮｏ．等を蓄積して記憶すると、ステップＳ１４に進む。
【００４７】
ステップＳ１４においては、情報転送ＥＣＵ１１０ａは、ユーザ（運転者）によって登録抹消操作スイッチ１３０が所定の操作として長押し操作されており、ユーザ（運転者）が現在登録されている携帯情報端末３００の抹消を意図しているか否かを判定する。すなわち、情報転送ＥＣＵ１１０ａは、登録抹消操作スイッチ１３０がユーザ（運転者）によって長押し操作されていれば、ユーザ（運転者）が携帯情報端末３００の登録抹消を意図しているために「Ｙｅｓ」と判定してステップＳ１５に進む。一方、登録抹消操作スイッチ１３０がユーザ（運転者）によって長押し操作されていなければ、ユーザ（運転者）によって携帯情報端末３００の登録抹消が意図されていないために「Ｎｏ」と判定してステップＳ１６に進む。
【００４８】
ステップＳ１５においては、情報転送ＥＣＵ１１０ａは、前記ステップＳ１４での判定処理に従い、現在、近距離通信制御装置１５０に記憶されている携帯情報及び接続に伴って生成される接続履歴テーブル等を消去（削除）させることにより、登録されている携帯情報端末３００を抹消して初期化する。そして、情報転送ＥＣＵ１１０ａは、ユーザ（運転者）による登録抹消操作スイッチ１３０の操作に起因する携帯情報端末３００の登録抹消に伴い、外部通信回線網４００を介して車両情報センタ２００に前記ステップ１３にて不揮発性メモリに記憶した蓄積系車両情報（トリップ情報、バッテリ情報及びダイアグ情報）を転送する手段が存在しなくなるため、この記憶した蓄積系車両情報のうちトリップ情報を破棄して初期化する。
【００４９】
ここで、情報転送ＥＣＵ１１０ａは、ステップＳ１５にて、携帯情報を消去（削除）させるとともに蓄積系車両情報のうちのトリップ情報を破棄する一方で、前記ステップＳ１２にて設定した現在のトリップＮｏ．は破棄することなく、そのまま維持（保持）する。すなわち、情報転送ＥＣＵ１１０ａは、カウント値であるトリップＮｏ．を初期化することなく、トリップＮｏ．の変更（増加又は減少）を禁止するカウント値増加不可モードに設定する。
【００５０】
これにより、今後、携帯情報端末３００が登録されて、カウント増加モードにより変更可能（増加可能）とされたトリップＮｏ．とともに蓄積系車両情報が車両情報センタ２００に転送される場合、車両情報センタ２００においては、車両１００から転送（送信）される蓄積系車両情報（トリップ情報）の連続性を維持することができるとともに、例えば、車両１００のユーザが代わっても過去に転送（送信）されたトリップ情報を容易に確認したり利用したりすることができる。尚、トリップＮｏ．とともに初期化されない情報として、例示的に列記すると、Bluetooth（登録商標）を利用してＣＡＮ通信ライン１２０に接続された車両ＥＣＵ１１０の通信に用いられる「ＣＡＮ−ＢＴ固有情報」、ハイブリッド車における積算ＨＶ燃料削減量であるＨＶ＿ＦＳＤ積算値、ダイアグ情報に関連するウォーニング履歴番号や、ウォーニングカウンタ値、ダイアグ履歴番号、バッテリ情報に関連する電池使用情報通知番号や、電池使用情報アップロード履歴、ハードテーブルや、作動要因記憶履歴、ＤＴＣ等を挙げることができる。
【００５１】
そして、情報転送ＥＣＵ１１０ａは、ステップＳ１５のステップ処理を実行すると、ステップＳ１６以降の各ステップ処理を実行する。尚、ステップＳ１５のステップ処理後にステップＳ１６以降の各ステップ処理を実行する場合において、特に、ステップＳ１９のステップ処理では、携帯情報端末３００が登録されておらず転送する蓄積系車両情報が既に破棄されているため、情報転送ＥＣＵ１１０ａは、何らの情報も転送することなくステップＳ２０に進んで車両情報転送プログラムの実行を終了する。
【００５２】
ステップＳ１６においては、情報転送ＥＣＵ１１０ａは、ユーザ（運転者）によって登録抹消操作スイッチ１３０が所定の操作として中押し操作されており、ユーザ（運転者）が新たに（或いは再び）未登録状態である携帯情報端末３００の登録を意図しているか否かを判定する。すなわち、情報転送ＥＣＵ１１０ａは、登録抹消操作スイッチ１３０がユーザ（運転者）によって中押し操作されていれば、ユーザ（運転者）が携帯情報端末３００の登録を意図しているために「Ｙｅｓ」と判定してステップＳ１７に進む。一方、登録抹消操作スイッチ１３０がユーザ（運転者）によって中押し操作されていなければ、ユーザ（運転者）によって携帯情報端末３００の登録が意図されていないために「Ｎｏ」と判定してステップＳ１８に進む。
【００５３】
ステップＳ１７においては、情報転送ＥＣＵ１１０ａは、前記ステップＳ１６での判定処理に従い、例えば、上述したペアリング処理を実行することによって、近距離通信制御装置１５０に携帯情報を記憶させて、この携帯情報を供給した携帯情報端末３００を接続先として登録させる。そして、情報転送ＥＣＵ１１０ａは、携帯情報端末３００の登録に伴い、今後、外部通信回線網４００を介して車両情報センタ２００に蓄積系車両情報（トリップ情報、バッテリ情報及びダイアグ情報）を転送する手段が存在するようになるため、この蓄積系車両情報に含まれるカウント値であるトリップＮｏ．を増加させることを許可するカウント値増加モードに設定する。
【００５４】
ステップＳ１８においては、情報転送ＥＣＵ１１０ａは、ユーザ（運転者）によってイグニッションスイッチがイグニッションオフ（或いはアクセサリオフ）の操作位置に操作されたか否かを判定する。すなわち、情報転送ＥＣＵ１１０ａは、イグニッションスイッチの操作位置がイグニッションオフ（或いはアクセサリオフ）の操作位置に操作されていれば、「Ｙｅｓ」と判定してステップＳ１９に進む。一方、イグニッションスイッチの操作位置がイグニッションオフ（或いはアクセサリオフ）に操作されていなければ、言い換えれば、イグニッションスイッチの操作位置がイグニッションオン（或いはアクセサリオン）に操作された状態が維持されていれば、「Ｎｏ」と判定してステップＳ１３に戻り、ステップＳ１３以降の各ステップ処理を繰り返し実行する。
【００５５】
ステップＳ１９においては、情報転送ＥＣＵ１１０ａは、携帯情報端末３００が近距離通信制御装置１５０の接続先として登録されている状況下においてのみ、登録されている携帯情報端末３００に対して、蓄積系車両情報であるトリップ情報、バッテリ情報、ダイアグ情報及びトリップＮｏ．を転送する。そして、登録されている携帯情報端末３００は、転送されたトリップ情報、バッテリ情報、ダイアグ情報及びトリップＮｏ．を、外部通信回線網４００を介して車両情報センタ２００に転送（送信）する。以下、このステップＳ１９のステップ処理を具体的に説明する。
【００５６】
まず、トリップ情報、バッテリ情報、ダイアグ情報及びトリップＮｏ．すなわち蓄積系車両情報の携帯情報端末３００への転送から説明する。近距離通信制御装置１５０は、情報転送ＥＣＵ１１０ａの指令により、ペアリング済みの携帯情報端末３００に対してリンク接続を行い、次にＳＰＰ(Serial Port Profile)に従ったシリアル通信ポートを開いて蓄積系車両情報の転送を行う。ところが、ユーザがハンズフリー通話を行うため、或いは、携帯情報端末３００に記憶されている音楽情報を車両１００の図示省略のスピーカから聞くと言ったエンタテイメント操作のために、近距離通信制御装置１５０とは異なる通信機器、例えばナビゲーション装置と携帯情報端末３００とを接続する場合も考えられる。このような場合、携帯情報端末３００の仕様によっては、複数の機器（この例示においては、近距離通信制御装置１５０とナビゲーション装置）との同時接続を禁止している場合があり、一般的には後から接続しようとした機器は接続を拒絶されることになる。
【００５７】
このため、蓄積系車両情報の転送に際して、情報転送ＥＣＵ１１０ａは、イグニッションスイッチの操作位置がイグニッションオフ（或いはアクセサリオフ）に操作されることに起因した蓄積系車両情報の記憶処理が完了するとともに、携帯情報端末３００（具体的にはスマートフォン）を利用したハンズフリー通話機能やエンタテイメント操作機能等を実行するための接続が確実に遮断されるまでの所定時間（例えば、５秒程度）が経過するまで待ち処理を実行する。このように、所定時間が経過するまで待つことにより、携帯情報端末３００と接続している他の機器（例えば、ナビゲーション装置等）との接続が確実に終了し、近距離通信制御装置１５０との接続が許可されるようになる。又、所定時間が経過するまで待つことにより、今回の車両１００のトリップが確定し、確定したトリップにおける車両情報の記憶処理が完了する。これにより、今回の車両１００のトリップが確定しているため、情報転送ＥＣＵ１１０ａは今回のトリップ情報を作成することができる。すなわち、情報転送ＥＣＵ１１０ａは、走行時間、総走行距離、燃費電費情報、プラグイン式ハイブリッド自動車におけるＥＶ走行距離やＨＶ走行距離等からなるトリップ情報を作成することができる。
【００５８】
そして、情報転送ＥＣＵ１１０ａは、Bluetooth（登録商標）通信を利用して、トリップ情報、バッテリ情報、ダイアグ情報及びトリップＮｏ．すなわち蓄積系車両情報を登録された携帯情報端末３００に転送する。ここで、情報転送ＥＣＵ１１０ａは、前回の蓄積系車両情報の転送処理によって既に転送されたトリップ情報、バッテリ情報、ダイアグ情報に関連付けられたトリップＮｏ．に対して、次以降に記憶されて蓄積されたトリップＮｏ．＋１以降を順次携帯情報端末３００に転送する。そして、情報転送ＥＣＵ１１０ａは、トリップ情報、バッテリ情報、ダイアグ情報及びトリップＮｏ．の転送が成功すると、この成功したトリップＮｏ．を更新し、不揮発性メモリの所定記憶位置に更新したトリップＮｏ．を記憶する。
【００５９】
次に、トリップ情報、バッテリ情報、ダイアグ情報及びトリップＮｏ．の転送された携帯情報端末３００による車両情報センタ２００への転送（送信）を説明する。トリップ情報、バッテリ情報、ダイアグ情報及びトリップＮｏ．の転送された携帯情報端末３００においては、主制御部３０５が、例えば、不揮発性メモリ３０６の所定記憶位置に前記転送された蓄積系車両情報を一時的に記憶する。そして、ユーザ（運転者）によって予め起動される、あるいは、主制御部３０５が自動的に起動する所定のアプリケーションプログラムの実行により、主制御部３０５は、不揮発性メモリ３０６の所定記憶位置に一時的に記憶した前記蓄積系車両情報を車両情報センタ２００に送信する。具体的には、主制御部３０５は、前記所定のアプリケーションプログラムの実行により、一時的に記憶した前記蓄積系車両情報を外部通信制御部３０１に供給する。外部通信制御部３０１は、外部通信回線網４００を介して車両情報センタ２００の通信制御部２１１との間で接続を確立し、供給された前記常時系車両情報を車両情報センタ２００に送信する。
【００６０】
この場合、携帯情報端末３００においては、例えば、ユーザが車両１００から降車した後、外部通信制御部３０１が外部通信回線網４００を介して車両情報センタ２００と通信し、上述したように情報転送ＥＣＵ１１０ａから複数の蓄積系車両情報が転送されていれば、主制御部３０５は複数の蓄積系車両情報に対応するトリップＮｏ．に従って順次送信する。そして、主制御部３０５は、車両情報センタ２００のサーバ２１０（具体的には、車両情報サーバ２１２）から、例えば、送信した蓄積系車両情報のうち、サーバ２１０によって受信できた蓄積系車両情報に対応するトリップＮｏ．を表す情報（以下、この情報を「送信完了トリップＮｏ．情報」と称呼する。）を受信すると、この送信完了トリップＮｏ．情報を不揮発性メモリ３０６の所定記憶位置に記憶する。
【００６１】
このように、不揮発性メモリ３０６に送信完了トリップＮｏ．情報を記憶している携帯情報端末３００が、例えば、次回の走行時に車両１００に持ち込まれ、車両１００（より詳しくは、近距離通信制御装置１５０）と接続されると、送信完了トリップＮｏ．情報が情報転送ＥＣＵ１１０ａに供給される。これにより、情報転送ＥＣＵ１１０ａは、例えば、自身が管理する不揮発性メモリの所定記憶位置に記憶している複数の蓄積系車両情報のうち、送信完了トリップＮｏ．情報によって表されるトリップＮｏ．と一致するトリップＮｏ．以前（すなわち、トリップＮｏ．−１，トリップＮｏ．−２，…，トリップＮｏ．−ｎ）に対応するトリップ情報を消去する。言い換えれば、情報転送ＥＣＵ１１０ａは、携帯情報端末３００を介して車両情報センタ２００に送信することができたトリップ情報を不揮発性メモリから消去する。
【００６２】
なお、この転送処理においては、未だ転送されていない蓄積系車両情報を一時に携帯情報端末３００に対して全て転送するように実施することも可能である。この場合には、情報転送ＥＣＵ１１０ａは、携帯情報端末３００から車両情報センタ２００に送信できた蓄積系車両情報を特定する情報である送信完了トリップＮｏ．情報を取得し、この取得した情報に基づいて、転送した蓄積系車両情報に対応するトリップＮｏ．を更新することができる。そして、情報転送ＥＣＵ１１０ａは、更新した送信完了トリップＮｏ．情報によって表されるトリップＮｏ．に従って次回以降にトリップＮｏ．＋１以降の蓄積系車両情報を順次携帯情報端末３００に転送するとともに、トリップＮｏ．以前（すなわち、トリップＮｏ．−１，トリップＮｏ．−２，…，トリップＮｏ．−ｎ）に対応する蓄積系車両情報のうちのトリップ情報を消去する。
【００６３】
そして、情報転送ＥＣＵ１１０ａは、ステップＳ１９にて蓄積系車両情報を携帯情報端末３００に転送すると、ステップＳ２０に進む。ステップＳ２０においては、情報転送ＥＣＵ１１０ａは、蓄積系車両情報を転送した後に車両１００の電源をオフし、車両情報転送プログラムの実行を終了する。
【００６４】
以上の説明からも理解できるように、この実施形態によれば、ユーザ（運転者）が登録抹消操作スイッチ１３０を操作することにより、ユーザ（運転者）の所有する携帯情報端末３００が近距離通信制御装置１５０と近距離通信可能な状態に登録されている（すなわち、Bluetooth（登録商標）を利用する近距離通信制御装置１５０の接続先として登録されている）ときに、蓄積系車両情報及びこの蓄積系車両情報の更新順序を識別するために付与するトリップＮｏ．を登録された携帯情報端末３００に転送することができる。すなわち、ユーザ（運転者）の意思に基づき、ユーザ（運転者）の所有する携帯情報端末３００が近距離通信制御装置１５０の接続先として登録されているときに限り、蓄積系車両情報及びトリップＮｏ．を携帯情報端末３００に転送することができる。そして、蓄積系車両情報及びトリップＮｏ．の転送された携帯情報端末３００においては、外部通信制御部３０１を利用して、外部通信回線網４００を介して車両情報センタ２００に向けて蓄積系車両情報及びトリップＮｏ．を転送（送信）することができる。
【００６５】
従って、例えば、車両工場から出庫された車両１００がユーザ（運転者）に納車されるまでの間の走行に伴い記憶された（蓄積された）蓄積系車両情報は、ユーザ（運転者）の所有する携帯情報端末３００が登録されていない（未登録状態である）ために車両情報センタ２００に向けて転送（送信）されることがない。すなわち、ユーザ（運転者）に納車されるまでの間に記憶された（蓄積された）蓄積系車両情報は、原則、ユーザ（運転者）が意図した情報やユーザが関与した情報ではないため、これらの情報がユーザ（運転者）の許可なく転送（送信）されることがない。
【００６６】
一方、車両１００が納車された後に、ユーザ（運転者）が自らの意思によって登録抹消操作スイッチ１３０を操作して携帯情報端末３００を登録することにより、ユーザ（運転者）が車両１００を走行させることで記憶された（蓄積された）蓄積系車両情報及びトリップＮｏ．を車両情報センタ２００に転送（送信）することができる。又、逆に、ユーザ（運転者）が自らの意思によって登録抹消操作スイッチ１３０を操作して携帯情報端末３００の登録を抹消することにより、ユーザ（運転者）が車両１００を走行させることで記憶された（蓄積された）蓄積系車両情報及びトリップＮｏ．の車両情報センタ２００への転送（送信）を禁止することができる。すなわち、この場合には、ユーザ（運転者）の意図する情報やユーザ（運転者）の関与した情報を、ユーザ（運転者）の意図する登録抹消操作スイッチ１３０の選択操作に基づいて、言い換えれば、ユーザ（運転者）が適宜選択して車両情報センタ２００に送信することができる。
【００６７】
又、例えば、車両１００のオーナー（ユーザ）が代わる状況や、ユーザ（運転者）の所有する携帯情報端末３００が変更される状況等、これまで登録されていた携帯情報端末３００の登録が抹消される状況では、記憶されている蓄積系車両情報は破棄されるもののトリップＮｏ．は変更されることなくそのまま維持される。これにより、ユーザ（運転者）による登録抹消操作スイッチ１３０の選択操作に応じて新たに携帯情報端末３００が登録されて蓄積系車両情報及びトリップＮｏ．が車両情報センタ２００に送信される場合においても、転送（送信）されるトリップＮｏ．の連続性が確保されているため、車両１００のユーザ（運転者）やユーザ（運転者）の所有する携帯情報端末３００が代わっても、例えば、連続性を有するトリップＮｏ．が付与されている新車時の蓄積系車両情報と現在の蓄積系車両情報とを容易に比較することができて、環境保全に対する貢献度（エコ度）を確認することもできる。
【００６８】
更に、蓄積系車両情報にトリップＮｏ．を付与することにより、蓄積系車両情報も、車両１００が走行を開始する状態から走行を終了する状態を経るまでに記憶された車両情報とすることができ、比較的長時間に渡る情報として収集して記憶することができる。従って、記憶される蓄積系車両情報の精度を向上させることができる。
【００６９】
上記実施形態においては、トリップの確定によって作成された蓄積系車両情報を登録された携帯情報端末３００に転送しておき、携帯情報端末３００が外部通信回線網４００を介して車両情報センタ２００に蓄積系車両情報を転送（送信）するように実施した。この場合、情報転送ＥＣＵ１１０ａは、常に（あるいは、リアルタイムに）車両情報センタ２００に対して転送されることが必要であるとして設定されている車両情報、具体的には、プラグイン式ハイブリッド車や従来の自動車における瞬間燃費、電気自動車やプラグイン式ハイブリッド自動車における瞬間電費等の瞬間燃費電費情報、及び、車両１００の車速（速度）や内燃機関の回転数等の機器作動情報を、対応する車両ＥＣＵ１１０から常時系車両情報としてＣＡＮ通信ライン１２０を介して取得し、取得した常時系車両情報を逐次携帯情報端末３００に転送するように実施することも可能である。
【００７０】
具体的に、情報転送ＥＣＵ１１０ａは、取得した常時系車両情報をＣＡＮ通信ライン１２０に接続された近距離通信制御装置１５０に出力する。近距離通信制御装置１５０においては、ユーザ（運転者）による登録抹消操作スイッチ１３０の操作に応じて、登録されている携帯情報端末３００との間でBluetooth（登録商標）を用いた近距離無線通信を行い、出力された常時系車両情報を携帯情報端末３００に転送する。
【００７１】
ここで、携帯情報端末３００においては、主制御部３０５が、例えば、不揮発性メモリ３０６の所定記憶位置に前記転送された常時系車両情報を一時的に記憶する。そして、ユーザによって予め起動される、あるいは、主制御部３０５が自動的に起動する所定のアプリケーションプログラムの実行により、主制御部３０５は、不揮発性メモリ３０６の所定記憶位置に一時的に記憶した前記常時系車両情報を車両情報センタ２００に送信する。具体的には、主制御部３０５は、前記所定のアプリケーションプログラムの実行により、一時的に記憶した前記常時系車両情報を外部通信制御部３０１に供給する。外部通信制御部３０１は、外部通信回線網４００を介して車両情報センタ２００の通信制御部２１１との間で接続を確立し、供給された前記常時系車両情報を車両情報センタ２００に送信する。
【００７２】
このように、リアルタイムに常時系車両情報を転送する場合であっても、上記実施形態と同様に、携帯情報端末３００が登録されている場合にのみ転送することができる。従って、上記実施形態と同様の効果が得られる。
【００７３】
本発明の実施にあたっては、上記実施形態及びその変形例に限定されるものではなく、本発明の目的を逸脱しない限りにおいて、種々の変更が可能である。
【００７４】
例えば、上記実施形態及び変形例においては、車両１００の情報転送ＥＣＵ１１０ａが図２に示した車両情報転送プログラムを実行することにより、複数の車両ＥＣＵ１１０によって収集された各種の情報すなわち蓄積系車両情報や常時系車両情報が携帯情報端末３００に転送され、携帯情報端末３００が転送された蓄積系車両情報や常時系車両情報を外部通信回線網４００を介して車両情報センタ２００に転送（送信）するように実施した。
【００７５】
ところで、ユーザ（運転者）の所有する携帯情報端末３００（具体的には、スマートフォン）は、情報通信システムにおいて車両１００と車両情報センタ２００との間の通信を実現するものであるとともに、ユーザ（運転者）が通常の携帯電話のように通話を行ったり、通常のパーソナルコンピュータのようにインターネットを介して取得した各種アプリケーションを実行させたりすることができる。この場合、特に、携帯情報端末３００は外部からアプリケーションを取得して実行できるため、例えば、セキュリティーが十分に確保できない環境下では不正な（悪意を持った）アプリケーションを取得してしまう可能性がある。そして、このようなアプリケーションを誤って取得して実行した場合には、携帯情報端末３００が有する種々の情報が不正に搾取されて意図しない送信により外部に流出してしまう可能性がある。
【００７６】
このため、携帯情報端末３００（具体的には、スマートフォン）を情報通信システム内で利用して車両１００と車両情報センタ２００との通信を実現する場合、すなわち、上述した車両情報転送プログラムを実行することによって情報転送ＥＣＵ１１０ａが蓄積系車両情報や常時系車両情報を携帯情報端末３００に転送して車両情報センタ２００に送信する場合においては、車両１００に関する各種の情報（具体的には、機器作動情報やトリップ情報、バッテリ情報、ダイアグ情報（故障情報）等、解析によってはユーザ（運転者）の特定が可能な情報や自動車メーカのノウハウに関連する情報等）が仮に不正に搾取されて外部に流出したときであっても、その各種の情報を容易に利用したり内容確認できないように適宜暗号化して転送（送信）するように実施することも可能である。
【００７７】
このように、車両情報センタ２００に転送（送信）する蓄積系車両情報や常時系車両情報を適宜暗号化することにより、例えば、携帯情報端末３００に不正なアプリケーションがインストールされていて、仮に、蓄積系車両情報や常時系車両情報が不正に他のセンタに送信されることになっても、送信された蓄積系車両情報や常時系車両情報が容易に解読されて利用されることを効果的に防止することができる。すなわち、暗号化処理を施すことにより、車両情報センタ２００のみが利用する秘匿性の高い蓄積系車両情報や常時系車両情報を適切に保護して通信することができる。
【００７８】
又、上記実施形態においては、例えば、車両１００のオーナー（ユーザ）が代わる状況や、ユーザ（運転者）の所有する携帯情報端末３００が変更される状況等、これまで登録されていた携帯情報端末３００の登録が抹消される状況では、記憶されている蓄積系車両情報のうちのトリップ情報を一旦破棄するように実施した。この場合、車両１００のオーナー（ユーザ）が代わる状況や、ユーザ（運転者）の所有する携帯情報端末３００が変更される状況であっても、記憶されている蓄積系車両情報（具体的に、トリップ情報）を破棄することなく常に記憶しておき、携帯情報端末３００が登録されて指定されたときに、前回までのトリップＮｏ．に基づいて、蓄積系車両情報を送信するようにすることも可能である。この場合には、車両１００のオーナー（ユーザ）が代わる状況や、ユーザ（運転者）の所有する携帯情報端末３００が変更される状況であっても、車両１００としてのこれまでの蓄積系車両情報を比較することができて、これまでの車両１００のエコ度も確認することができる。
【符号の説明】
【００７９】
１００…車両、１１０…電子制御装置（車両ＥＣＵ）、１１０ａ…情報転送ＥＣＵ、１２０…ＣＡＮ通信ライン、１３０…登録抹消操作スイッチ、１４０…インジケータ、１５０…近距離通信制御装置、２００…車両情報センタ、２１０…サーバ、２１１…通信制御部、２１２…車両情報サーバ、２１３…ユーザ情報サーバ、２１４…車両情報記憶部、２１５…ユーザ情報記憶部、３００…携帯情報端末、３０１…外部通信制御部、３０２…近距離通信制御部、３０３…ＧＰＳユニット、３０４…タッチパネル式液晶ディスプレイ、３０５…主制御部、３０６…不揮発性メモリ、４００…外部通信回線網
【図１】
0005714453.tif 000002
【図２】
0005714453.tif 000003